(57)【特許請求の範囲】
【請求項１】
両端部が回転自在に保持され、シャッターカーテンを巻き取り、繰り出すための巻取軸と、この巻取軸の少なくとも軸方向途中部を上向きに支持する支持部材とを有するシャッター装置において、
前記巻取軸に上端部が連結されている前記シャッターカーテンの途中部を掛けるための掛け軸を備えており、この掛け軸の前記巻取軸に対する配置位置は、前記巻取軸よりも高い位置であって、前記掛け軸の中心と前記巻取軸の中心との間を前記シャッターカーテンが通過する位置となっており、
両端部が保持されている前記掛け軸の少なくとも軸方向途中部は、掛け軸用の支持部材で上向きに支持され、前記巻取軸の少なくとも軸方向途中部を上向きに支持する巻取軸用の前記支持部材と、掛け軸用の前記支持部材とは、同じブラケットに取り付けられていることを特徴するシャッター装置。
【請求項２】
請求項１に記載のシャッター装置において、前記巻取軸に対する前記掛け軸の高さ位置は、前記巻取軸における前記シャッターカーテンの巻き径が最大となったときでも、前記掛け軸の表面上部に掛けられている前記シャッターカーテンの高さが、前記巻取軸に巻き取られた前記シャッターカーテンの表面上端部よりも高くなっている位置であることを特徴とするシャッター装置。
【請求項３】
請求項１又は２に記載のシャッター装置において、巻取軸用の前記支持部材は、前記巻取軸の周方向に２個設けられた支持ローラであり、掛け軸用の前記支持部材は、前記掛け軸の周方向に２個設けられた支持ローラであることを特徴とするシャッター装置。
【発明の詳細な説明】
【０００１】
【発明の属する技術分野】
本発明は、少なくとも軸方向途中部が支持部材で上向きに支持された巻取軸でシャッターカーテンを巻き取り、繰り出すシャッター装置に係り、例えば、防火、防煙のための防災用シャッター装置や、出入口を開閉するためのシャッター装置等に利用できるものである。
【０００２】
【背景技術】
火災発生時にシャッターカーテンで防災区画を形成するための防災用シャッター装置は、両端部が回転自在に保持された巻取軸と、この巻取軸で巻き取り、繰り出しがなされるシャッターカーテンとを有する構造となっている。大スパンの防災区画をシャッターカーテンで形成するためには巻取軸をこの大スパンと対応する長寸軸にしなければならないが、このように巻取軸を長寸軸にすると、巻取軸に撓みが生じてしまい、シャッターカーテンの円滑な巻き取り、繰り出しが難しくなる。
【０００３】
そこで、特開２０００−３０３７６２に示されているように、巻取軸の軸方向途中部に巻取軸を上向きに支持する支持部材を設けることが提案されている。
【０００４】
図７は、この従来技術を示す概略図である。下端が座板１００Ａとなっているシャッターカーテン１００の上端部は巻取軸１０１に結合され、シャッターカーテン１００が巻回されている巻取軸１０１の両端部はブラケットで回転自在に支持されているとともに、巻取軸１０１の軸方向途中部は、支持ローラ１０２で上向きに支持されている。
【０００５】
【発明が解決しようとする課題】
この従来技術によると、支持部材となっている支持ローラ１０２によって巻取軸１０１の軸方向途中部が大きく撓むことが防止されるが、２個の支持ローラ１０２は、巻取軸１０１の軸方向両端部を保持するブラケットで受けられる分を除く、巻取軸１０１の重量Ｇと座板１００Ａを含むシャッターカーテン１００の重量Ｗとを支持することになる。言い換えると、２個ある支持ローラ１０２のそれぞれは、合計するＧとＷの和に等しい上向きの押圧力Ｆ1,Ｆ2により、巻取軸１０１に巻回されているシャッターカーテン１００を巻取軸１０１側へ押圧支持していることになる。
【０００６】
これによると、シャッターカーテン１００が支持ローラ１０２からの押圧力Ｆ1,Ｆ2を受け、この押圧力Ｆ1,Ｆ2が大きい場合には、巻取軸１０１によるシャッターカーテン１００の円滑な巻き取り、繰り出しに支障が生ずるおそれがある。
【０００７】
本発明の目的は、巻取軸の少なくとも軸方向途中部に巻取軸を上向きに支持する支持部材が設けられていても、支持部材からシャッターカーテンに作用する押圧力を軽減できるようになるシャッター装置を提供するところにある。
【０００８】
【課題を解決するための手段】
本発明に係るシャッター装置は、両端部が回転自在に保持され、シャッターカーテンを巻き取り、繰り出すための巻取軸と、この巻取軸の少なくとも軸方向途中部を上向きに支持する支持部材とを有するシャッター装置において、前記巻取軸に上端部が連結されている前記シャッターカーテンの途中部を掛けるための掛け軸を備えていることを特徴とするものである。
【０００９】
このシャッター装置は、巻取軸に上端部が連結されているシャッターカーテンの途中部を掛けるための掛け軸を備えているため、シャッターカーテンの全重量が、巻取軸の少なくとも軸方向途中部を上向きに支持する支持部材にそのまま下向きに作用する荷重となって作用せず、シャッターカーテンの全重量のうちのいくぶんかは掛け軸によって支持されることになる。このため、巻取軸の支持部材に下向きに作用する荷重が減少し、この結果、巻取軸に巻回されているシャッターカーテンが支持部材から受ける押圧力は軽減され、巻取軸によるシャッターカーテンの円滑な巻き取り、繰り出しが可能となる。
【００１０】
また、シャッターカーテンの下端部に設けられる座板の重量がシャッターカーテンの全重量のうちの大きな割合を占めている場合には、この座板の重量が掛け軸によって支持されることになるため、巻取軸の支持部材に作用する下向きの荷重を大きく削減でき、また、シャッターカーテンが巻取軸から繰り出されるに伴い、シャッターカーテンの全重量のうちの掛け軸によって支持される重量は増大するため、巻取軸からのシャッターカーテンの繰り出し量が大きくなるにしたがい、巻取軸の支持部材に作用する下向きの荷重を次第に小さくできて、巻取軸に巻回されているシャッターカーテンが支持部材から受ける押圧力の軽減量を次第に大きくできる。
【００１１】
以上において、巻取軸と平行又は略平行に配置される掛け軸の高さ位置は、巻取軸よりも高い位置でもよく、巻取軸と同じ高さでもよく、巻取軸よりも低い位置でもよい。
【００１２】
しかし、掛け軸を巻取軸よりも高い位置に配置すると、巻取軸と掛け軸との間のシャッターカーテンの部分に、掛け軸から垂下したシャッターカーテンの部分の重量が張力となって作用し、この張力は垂直上向き成分を有するものであって、この垂直上向き成分により、巻取軸の支持部材に下向きに作用する荷重が大きく軽減されるため、掛け軸を巻取軸よりも高い位置に配置することが好ましい。
【００１３】
なお、ここでいう掛け軸を巻取軸よりも高い位置に配置するとは、掛け軸と巻取軸のそれぞれの軸芯での高さ位置の比較でもよく、巻取軸に巻回されているシャッターカーテンの表面の最高高さ位置と掛け軸に掛けられているシャッターカーテンの表面の最高高さ位置との比較でもよい。
【００１４】
しかし、前者とすると、巻取軸でのシャッターカーテンの巻き径は巻取軸に対するシャッターカーテンの巻き取り、繰り出しによって変化するため、巻き径が小さくなったときには、巻取軸と掛け軸との間のシャッターカーテンの部分に、掛け軸から垂下したシャッターカーテンの部分の重量が垂直上向き成分を有する張力となって作用するとは限らないため、このようなことが生じない後者とすることが好ましい。
【００１５】
また、巻取軸と同じ又は略同じ長さの長寸軸となっている掛け軸は、巻取軸と同様に軸方向両端部がブラケット等で保持されるが、掛け軸の少なくとも軸方向途中部にこの途中部を上向き支持する掛け軸用の支持部材を設けてもよく、設けなくてもよい。
【００１６】
しかし、掛け軸の少なくとも軸方向途中部を上向きに支持する掛け軸用の支持部材を設けると、長寸軸である掛け軸が撓むのを防止できるため、掛け軸から垂下されるシャッターカーテンの掛け軸に対する上下動を円滑に行わせることができ、また、巻取軸に対する掛け軸の高さ位置を支持部材で掛け軸の全長に亘って一定又は略一定とすることができるため、掛け軸を設けることによって得られる前述した巻取軸の支持部材に作用する下向き荷重の軽減をより確実に達成できることになる。
【００１７】
以上のように、巻取軸の少なくとも軸方向途中部を上向きに支持する巻取軸用の支持部材と、掛け軸の少なくとも軸方向途中部を上向きに支持する掛け軸用の支持部材とを設ける場合には、これらの支持部材を同じブラケットに取り付けてもよく、それぞれ別のブラケットに取り付けてもよい。
【００１８】
しかし、それぞれの支持部材を同じブラケットに取り付けると、ブラケットが兼用化されてそれだけ必要となるブラケットの個数を減少させることができ、シャッター装置全体の部品点数の削減、構造の簡単化を図ることができる。
【００１９】
また、掛け軸は、巻取軸で巻き取られ、繰り出されるシャッターカーテンの上下動と共に回転するものでもよく、回転しないものでもよい。すなわち、掛け軸は回転部材でもよく、非回転部材でもよい。
【００２０】
しかし、掛け軸をシャッターカーテンの上下動と共に回転するものとすると、掛け軸から垂下したシャッターカーテンの上下動を、掛け軸とシャッターカーテンとの間に大きな摩擦力が生じていても、巻取軸と掛け軸との間のシャッターカーテンの部分に撓みが発生しない円滑な動きとして行わせることができる。
【００２１】
また、巻取軸の軸方向における巻取軸用の支持部材の個数及び掛け軸の軸方向における掛け軸用の支持部材の個数は、１個でもよく、複数個でもよく、巻取軸及び掛け軸の軸長寸法や、巻取軸及び掛け軸自体の自重等に基づいてこれらを任意な個数とすることができる。
【００２２】
さらに、巻取軸用の支持部材及び掛け軸用の支持部材は、巻取軸、掛け軸の全長の一部のみの支持するものでもよく、全長に亘って支持するものでもよい。要するに、これらの支持部材は、巻取軸、掛け軸の少なくとも軸方向途中部を支持するものであればよい。
【００２３】
また、巻取軸用の支持部材及び掛け軸用の支持部材は、ローラやボール等のように回転する回転部材でもよく、回転しない部材でもよい。
【００２４】
しかし、巻取軸用の支持部材及び掛け軸用の支持部材を回転する回転部材とすると、巻取軸に巻回されたシャッターカーテンや掛け軸との間で大きな摩擦力が発生するのを防止でき、シャッターカーテン及び掛け軸が摩擦で損耗するのを防止することができるため、これらの支持部材を回転部材とすることが好ましい。
【００２５】
そして、それぞれの支持部材を回転部材とする場合には、巻取軸に巻回されているシャッターカーテンや掛け軸と軸方向へ延びる線接触又は点接触で接触することになるこれらの支持部材を巻取軸や掛け軸の真下に配置してもよく、あるいは、巻取軸、掛け軸の周方向へ複数個の支持部材を配設するとともに、周方向へ複数個配設されたこれらの支持部材にベルト等の帯状部材を掛け回し、これらの支持部材と帯状部材とで巻取軸、掛け軸を上向きに支持するようにしてもよい。
【００２６】
また、支持部材を回転しない部材とする場合には、この非回転部材を、巻取軸に巻回されているシャッターカーテンや掛け軸と軸方向へ延びる線接触又は点接触で接触する部材としてもよく、あるいは、上向きに凹状に湾曲し、巻取軸に巻回されているシャッターカーテンや掛け軸と面接触して巻取軸、掛け軸を上向きに支持するものとしてもよい。
【００２７】
また、本発明に係るシャッター装置は、シャッターカーテンの全部又は主要部がシートで形成されたシート式シャッター装置でもよく、スラットで形成されたスラット式シャッター装置でもよく、パネルで形成されたパネル式シャッター装置でもよく、パイプとリンクで形成されたパイプ式シャッター装置でもよく、これらのうちの少なくとも２つを複合させた複合式シャッター装置等でもよく、本発明は任意なタイプのシャッター装置に適用できる。
【００２８】
そして、シャッター装置がシート式シャッター装置である場合において、シャッターカーテンの少なくとも一部を形成するシートは、耐火性を有するものでもよく、耐火性を有しないものでもよい。
【００２９】
すなわち、本発明は、火災発生時に防火区画を形成するために巻取軸から耐火性を有するシャッターカーテンを繰り出す防災用シャッター装置にも適用でき、出入口等の開口部を耐火性を有しないシャッターカーテンで開放、閉鎖するための出入口用等のためのシャッター装置にも適用できる。
【００３０】
また、本発明に係るシャッター装置は、建物に設置される建物用のシャッター装置としても適用でき、地下街や船舶等の構造物に設置される非建物用のシャッター装置としても適用できる。
【００３１】
また、シャッター装置の巻取軸にシャッターカーテンの上端部を連結することは、ビス、ボルト、ピン、リベット等の止着具を用いて行ってもよく、接着剤、粘着剤、両面粘着テープ等を用いて行ってもよく、巻取軸に対して係止、係合、掛け止め、引っ掛け等で行ってもよく、吊り元等の中間部材を介して行ってもよく、シャッターカーテンの上端部を巻取軸に１回又は複数回巻かれる捨て巻き部とすることにより、巻取軸との摩擦力により行ってもよい。
【００３２】
【発明の実施の形態】
以下に本発明の実施形態を図面に基づいて説明する。図１は、本実施形態に係るシャッター装置の全体を示す正面図であり、このシャッター装置は、火災発生時に建物内に防災区画を形成するための大開口用の防災用シャッター装置である。
【００３３】
この防災用シャッター装置の長寸軸となっている巻取軸１は、天井部材２で室内空間３から仕切られた天井裏空間４に水平方向を軸方向として配置され、巻取軸１の軸方向両端部は保持部材である左右一対のブラケット５で回転自在に保持されている。これらのブラケット５は、天井裏空間４に存在する建物躯体６に結合されている。巻取軸１には、下端が座板７Ａとなったシャッターカーテン７の上端部が結合されており、金属製の座板７Ａや巻取軸１との結合部材等を除く大部分がガラスクロス又はシリカクロスによるシート又はこのシートに耐火塗料等を塗布及び又は含浸して形成されているシート式のシャッターカーテン７は、平常時には巻取軸１に巻き取られている。巻取軸１からのシャッターカーテン７の繰り出し、巻き取りは巻取軸１の正逆回転によってなされ、シャッターカーテン７の幅方向両端部は、室内空間３の左右両側に形成されている柱、壁等の建物躯体８に取り付けられているガイドレール９に抜け止め部材で抜け止めされて摺動自在に挿入されているため、巻取軸１の正逆回転によって天井部材２に配設されているまぐさ１０を通過して閉鎖、開放の上下動を行うシャッターカーテン７の移動は、これらのガイドレール９で案内されながら行われる。
【００３４】
左右一対のブラケット５のうち一方のブラケット５には、モータとブレーキの組み合わせからなる開閉機１１が取り付けられ、この開閉機１１は巻取軸１とチェーン、スプロケット等からなる伝動手段１２を介して連結されている。火災発生によって図示しない手動レバーが操作されることにより、又は図示しないセンサが煙あるいは熱等を検出してこの検出信号が開閉機１１の制御装置に送られることにより、開閉機１１のブレーキが解除され、これによりシャッターカーテン７は座板７Ａの重量を含む自重で巻取軸１を回転させながら下降する。また、スイッチ操作で開閉機１１のモータが駆動されることにより、巻取軸１の回転でシャッターカーテン７が巻取軸１に巻き取られる。
【００３５】
図２は図１のＳ２−Ｓ２線断面図である。この図２で示されているように、天井裏空間４には掛け軸１３が巻取軸１と隣接して配置され、巻取軸１と平行又は略平行となっているこの掛け軸１３は、巻取軸１よりも高い位置にある。また、図１で示されているとおり、掛け軸１３は巻取軸１と同じ長さを有する長寸軸であり、この掛け軸１３は、軸方向両端部において前記左右一対のブラケット５で回転自在に保持され、左右一対のブラケット５は巻取軸１と掛け軸１３との両方を回転自在に保持する保持部材となっている。
【００３６】
また、図２で示されているように、巻取軸１から延設されているシャッターカーテン７は、巻取軸１に結合されている上端部と座板７Ａになっている下端部との間の途中部において、掛け軸１３に掛けられ、そしてこの掛け軸１３からシャッターカーテン７の垂下が始まり、シャッターカーテン７は天井部材２のまぐさ１０を経て室内空間３に達している。
【００３７】
また、巻取軸１に対する掛け軸１３の高さ位置は、座板７Ａが天井部材２のまぐさ１０に達するまでシャッターカーテン７が巻取軸１に巻き取られたときでも、すなわち、巻取軸１におけるシャッターカーテン７の巻き径が最大となったときでも、掛け軸１３の表面上部に掛けられているシャッターカーテンの高さが、巻取軸１に巻き取られたシャッターカーテン７の表面上端部よりも高くなっている位置である。
【００３８】
図１に示すように、巻取軸１の軸方向途中部には、この途中部を上向きに支持する支持部材となっている支持ローラ１４が配置され、掛け軸１３の軸方向途中部にも、この途中部を上向きに支持する支持部材となっている支持ローラ１５が配置されている。図２で示されているとおり、巻取軸１用の支持ローラ１４は巻取軸１の周方向に２個設けられ、掛け軸１３用の支持ローラ１５も掛け軸１３の周方向に２個設けられている。これらの支持ローラ１４，１５は、天井裏空間４に存在する前記建物躯体６に結合されたブラケット１６に共通して取り付けられているとともに、このブラケット１６に設けられている軸１４Ａ，１５Ａを中心に回転自在となっている。
【００３９】
以上により、支持ローラ１４で長寸軸となっている巻取軸１の軸方向途中部の撓みが防止され、支持ローラ１５で長寸軸となっている掛け軸１３の軸方向途中部の撓みが防止されている。
【００４０】
また、以上において、巻取軸１の正逆回転によるシャッターカーテン７の繰り出し、巻き取りは、シャッターカーテン７の垂下が始まっている掛け軸１３が回転することによってなされ、また、このときにはそれぞれの支持ローラ１４，１５は回転して巻取軸１、掛け軸１３を支持する。
【００４１】
図３は、巻取軸１に巻回されているシャッターカーテン７に巻取軸１用の支持ローラ１４から作用する押圧力等を示す力学図である。シャッターカーテン７のうち、掛け軸１３に掛けられて垂下している座板７Ａを含む部分の重量Ｗ2が掛け軸１３で支持され、シャッターカーテン７と掛け軸１３との間に摩擦力がない又は摩擦力があっても無視できる程度に小さいと仮定すると、重量Ｗ2と同じ大きさの斜め上向きの張力Ｗ2が巻取軸１と掛け軸１３との間のシャッターカーテン７に生ずる。この張力Ｗ2のうちの垂直上向き成分Ｗ2aは、巻取軸１に巻回されているシャッターカーテン７及び巻取軸１を垂直上向きに持ち上げるように働く。
【００４２】
このため、本来は、前記左右一対のブラケット５で受けられる分を除く、巻取軸１の重量Ｇと、シャッターカーテン７のうちの巻取軸１に巻回されている部分の重量Ｗ1との合計が２個の支持ローラ１４に下向きに作用する荷重となるところ、これらの支持ローラ１４には、ＧとＷ1との和からＷ2aを差し引いた下向きの荷重が作用することになり、言い換えると、巻取軸１に巻回されているシャッターカーテン７に２個の支持ローラ１４から作用する押圧力Ｆ1，Ｆ2の合計は、ＧとＷ1との和からＷ2aを差し引いた小さい値となる。
【００４３】
このため、巻取軸１に巻回されているシャッターカーテン７に２個の支持ローラ１４から作用する押圧力は、図７で示した押圧力よりも小さくなり、したがって、巻取軸１の軸方向途中部にこの途中部を上向きに支持する支持ローラ１４を配置しても、巻取軸１によってシャッターカーテン７を円滑に巻き取り、繰り出すことができるようになる。
【００４４】
また、本実施形態のように、シャッターカーテン７の下端部に重量の大きな座板７Ａが設けられ、シャッターカーテン７の大部分が軽量のシートで形成されている場合には、座板７Ａは、巻取軸１からのシャッターカーテン７の繰り出し、巻き取りの全体を通して常に掛け軸１３よりも下にある。このため、本実施形態にようにシャッターカーテン７の重量のうちの大きな割合を座板７Ａが占めている場合には、巻取軸１に巻回されているシャッターカーテン７に２個の支持ローラ１４から作用する押圧力を軽減させるためのＷ2aを、巻取軸１からのシャッターカーテン７の繰り出し、巻き取りの全体を通して常に大きくでき、巻取軸１によってシャッターカーテン７を一層円滑に巻き取り、繰り出すことができるようになる。
【００４５】
また、Ｗ2は巻取軸１からシャッターカーテン７が繰り出されるのにしたがって大きくなり、Ｗ2aも次第に大きくなるため、シャッターカーテン７の繰り出し量の増大にしたがい、巻取軸１に巻回されているシャッターカーテン７に２個の支持ローラ１４から作用する押圧力を次第に小さくできる。
【００４６】
また、本実施形態では、掛け軸１３の軸方向途中部にもこの途中部を上向きに支持する支持ローラ１５が設けられているため、巻取軸１と同じ長寸軸となっている掛け軸１３の軸方向途中部が撓むのを防止でき、これにより、巻取軸１から繰り出され、巻き取られるシャッターカーテン７を所定どおり掛け軸１３から垂下させ、巻取軸１からの繰り出し、巻き取りに伴い所定どおりシャッターカーテン７を円滑に上下動させることができる。
【００４７】
また、掛け軸１３の軸方向途中部を支持ローラ１５で上向きに支持することにより、掛け軸１３をその全長又は略全長を通して一定の高さ位置とすることができ、これにより、図３で示したＷ2aと同じ又は略同じ値となった垂直上向き成分を巻取軸１の軸方向におけるシャッターカーテン７の全幅に亘って生じさせることができる。
【００４８】
また、本実施形態では、巻取軸１用の支持ローラ１４と掛け軸１３用の支持ローラ１５は同じブラケット１６に取り付けられているため、ブラケット１６の共通化を図ることができ、それだけ必要される部材点数を削減できて、本実施形態に係る防災用シャッター装置の全体的な構造の簡単化を達成できる。
【００４９】
さらに、掛け軸１３は、シャッターカーテン７が巻取軸１から繰り出され、巻き取られるときに回転してシャッターカーテン７を上下動させるものとなっているため、たとえ、掛け軸１３とシャッターカーテン７との間で摩擦力が生じても、シャッターカーテン７の掛け軸１３に対する上下動を摩擦力による影響をなくして行わせることができる。
【００５０】
また、巻取軸１用の支持ローラ１４と掛け軸１３用の支持ローラ１５は回転して巻取軸１に巻回されたシャッターカーテン７と掛け軸１３を上向きに支持するものになっているため、巻取軸１からのシャッターカーテン７の繰り出し、巻き取り時にシャッターカーテン７と掛け軸１３が支持ローラ１４，１５から大きな摩擦力を受けることがなく、これらのシャッターカーテン７、掛け軸１３を有効に支持することができる。
【００５１】
図４は、掛け軸１３の高さ位置を巻取軸１と同じ又は略同じとした実施形態を示す。
【００５２】
この実施形態では、シャッターカーテン７のうち、掛け軸１３に掛けられて垂下している座板７Ａを含む部分の重量Ｗ2が掛け軸１３で支持され、この重量Ｗ2と同じ大きさの張力Ｗ2が、巻取軸１と掛け軸１３との間のシャッターカーテン７の部分において水平又は略水平に生ずる。この張力Ｗ2は、巻取軸１に巻回されているシャッターカーテン７及び巻取軸１を垂直上向きに持ち上げる方向には働かない又は殆ど働かない。
【００５３】
このため、前記左右一対のブラケット５で受けられる分を除く、巻取軸１の重量Ｇと、シャッターカーテン７のうちの巻取軸１に巻回されている部分の重量Ｗ1との合計と同じ又は略同じ荷重が、２個の支持ローラ１４に下向きに作用する荷重となり、言い換えると、巻取軸１に巻回されているシャッターカーテン７に２個の支持ローラ１４から作用する押圧力Ｆ1，Ｆ2の合計は、ＧとＷ1との和と同じ又は略同じになる。
【００５４】
この実施形態によると、押圧力Ｆ1，Ｆ2の合計は図３の実施形態よりも大きくなるが、それでも図７の従来技術よりも小さくでき、その小さくできる分だけ、巻取軸１によってシャッターカーテン７を円滑に巻き取り、繰り出すことができるようになる。
【００５５】
図５は、掛け軸１３の高さ位置を巻取軸１よりも低くした実施形態を示す。
【００５６】
この実施形態でも、シャッターカーテン７のうち、掛け軸１３に掛けられて垂下している座板７Ａを含む部分の重量Ｗ2が掛け軸１３で支持され、この重量Ｗ2と同じ大きさの張力Ｗ2が巻取軸１と掛け軸１３との間のシャッターカーテン７に斜め下向きに生ずる。この張力Ｗ2のうちの垂直下向き成分Ｗ２ａは、巻取軸１に巻回されているシャッターカーテン７及び巻取軸１を垂直下向きに押し下げる方向に働く。
【００５７】
このため、前記左右一対のブラケット５で受けられる分を除く、巻取軸１の重量Ｇと、シャッターカーテン７のうちの巻取軸１に巻回されている部分の重量Ｗ1と、この張力Ｗ2のうちの垂直下向き成分Ｗ2aとの合計が２個の支持ローラ１４に下向きに作用する荷重となり、言い換えると、巻取軸１に巻回されているシャッターカーテン７に２個の支持ローラ１４から作用する押圧力Ｆ1，Ｆ2の合計は、ＧとＷ1とＷ2aの和と同じになる。
【００５８】
この実施形態によると、押圧力Ｆ1，Ｆ2の合計は図４の実施形態よりもさらに大きくなるが、それでもＷ2aはＷ2よりも小さいため、押圧力Ｆ1，Ｆ2の合計を図７の従来技術よりも小さくできる。このため、その小さくできる分だけ、巻取軸１によってシャッターカーテン７を円滑に巻き取り、繰り出すことができるようになる。
【００５９】
以上のそれぞれの実施形態から分かるように、巻取軸１に対する掛け軸１３の高さ位置がどのようになっていても、シャッターカーテン７を掛ける掛け軸１３を設けることにより、巻取軸１に巻回されているシャッターカーテン７に２個の支持ローラ１４から作用する押圧力Ｆ1，Ｆ2の合計を従来技術よりも小さくできる。
【００６０】
なお、これらの実施形態のうち、巻取軸１に巻回されているシャッターカーテン７に２個の支持ローラ１４から作用する押圧力Ｆ1，Ｆ2の合計を最も小さくできる図３の実施形態は、シャッターカーテン７を繰り出すときの巻取軸１の回転方向が左回転となっている場合であったが、図６で示すように、シャッターカーテン７を繰り出すときの巻取軸１の回転方向が、図４及び図５の実施形態と同じく、右回転となっている場合であっても、図４及び図５の実施形態よりも、巻取軸１に巻回されているシャッターカーテン７に２個の支持ローラ１４から作用する押圧力Ｆ1，Ｆ2の合計を小さくできる。
【００６１】
また、これまでの図３〜図６の実施形態では、シャッターカーテン７と掛け軸１３との間に摩擦力がない又は摩擦力があっても無視できる程度に小さいと仮定し、これにより巻取軸１と掛け軸１３との間のシャッターカーテン７の部分には、掛け軸１３から垂下するシャッターカーテン７の部分の重量Ｗ2と同じ大きさの張力Ｗ2が生じているとしたが、シャッターカーテン７と掛け軸１３との間に無視できない摩擦力があり、このため、巻取軸１と掛け軸１３との間のシャッターカーテン７に生ずる張力が、掛け軸１３から垂下するシャッターカーテン７の部分の重量Ｗ2よりも小さい値となっていても、シャッターカーテン７の全重量のうちの一部Ｗ1は掛け軸１３によって支持されるため、押圧力Ｆ1，Ｆ2の合計を図７の従来技術よりも小さくできることについては、図３〜図６の実施形態と同じとなる。
【００６２】
【発明の効果】
本発明によると、巻取軸の少なくとも軸方向途中部に巻取軸を上向きに支持する支持部材が設けられていても、支持部材からシャッターカーテンに作用する押圧力を軽減できるという効果を得られる。
【図面の簡単な説明】
【図１】本発明の一実施形態に係る防災用シャッター装置の全体を示す正面図である。
【図２】図１のＳ２−Ｓ２線断面図である。
【図３】巻取軸に対する掛け軸の高さ位置が高くなっている場合に、巻取軸に巻回されているシャッターカーテンに巻取軸用の支持ローラから作用する押圧力等を示す力学図である。
【図４】巻取軸と掛け軸とが略同じ高さ位置となっている場合に、巻取軸に巻回されているシャッターカーテンに巻取軸用の支持ローラから作用する押圧力等を示す力学図である。
【図５】巻取軸に対する掛け軸の高さ位置が低くなっている場合に、巻取軸に巻回されているシャッターカーテンに巻取軸用の支持ローラから作用する押圧力等を示す力学図である。
【図６】図３に対してシャッターカーテンを繰り出すための巻取軸の回転方向を逆とした場合を示す図３と同様の図である。
【図７】従来技術を示す図であって、巻取軸に巻回されているシャッターカーテンに巻取軸用の支持ローラから作用する押圧力等を示す力学図である。
【符号の説明】
１  巻取軸
７  シャッターカーテン
７Ａ  シャッターカーテンの座板
１３  掛け軸
１４  巻取軸用の支持部材である支持ローラ
１５  掛け軸用の支持部材である支持ローラ
１６  それぞれの支持ローラを取り付けたブラケット
【図１】
0003920118.tif 000002
【図２】
0003920118.tif 000003
【図３】
0003920118.tif 000004
【図４】
0003920118.tif 000005
【図５】
0003920118.tif 000006
【図６】
0003920118.tif 000007
【図７】
0003920118.tif 000008